(57)【要約】【課題】  取得した計測データに対して自動的に付加情報を付加して保存することが可能な計測システムを実現する。【解決手段】  データを取得することが可能なデータ収集手段を用いた計測システムにおいて、計測データを保存管理するサーバと、付加情報データベースを一元管理するデータベースサーバと、このデータベースサーバから付加情報データベースをネットワークを介してダウンロードしておき、計測時に、付加情報データベースから計測された計測データに付加すべき付加情報を選択して付加し、必要に応じて付加情報が付加された計測データをサーバにネットワークを介してアップロードするデータ収集手段とを設ける。【選択図】                    図１
2007170844.tif 000002
【特許請求の範囲】
【請求項１】
データを取得することが可能なデータ収集手段を用いた計測システムにおいて、
計測データを保存管理するサーバと、
付加情報データベースを一元管理するデータベースサーバと、
このデータベースサーバから前記付加情報データベースをネットワークを介してダウンロードしておき、計測時に、前記付加情報データベースから計測された計測データに付加すべき付加情報を選択して付加し、必要に応じて付加情報が付加された前記計測データを前記サーバに前記ネットワークを介してアップロードするデータ収集手段と
を備えたことを特徴とする計測システム。
【請求項２】
データを取得することが可能なデータ収集手段を用いた計測システムにおいて、
計測データを保存管理すると共に付加情報データベースを一元管理するサーバと、
このサーバから前記付加情報データベースをネットワークを介してダウンロードしておき、計測時に、前記付加情報データベースから計測された計測データに付加すべき付加情報を選択して付加し、必要に応じて付加情報が付加された前記計測データを前記サーバに前記ネットワークを介してアップロードするデータ収集手段と
を備えたことを特徴とする計測システム。
【請求項３】
前記付加情報を前記データ収集手段に直接入力するための入力手段を備えたことを特徴とする
請求項１若しくは請求項２記載の計測システム。
【請求項４】
前記データ収集手段が、
計測器であることを特徴とする
請求項１乃至請求項３のいずれかに記載の計測システム。
【請求項５】
前記データ収集手段が、
センサであることを特徴とする
請求項１乃至請求項３のいずれかに記載の計測システム。
【発明の詳細な説明】
【技術分野】
【０００１】
本発明は、ディジタルオシロスコープ、ロジックアナライザ、プロトコルアナライザ等の現場等で大量のデータを取得することが可能なデータ収集手段を用いた計測システムに関し、特に取得したデータに対して自動的に付加情報を付加して保存することが可能な計測システムに関する。
【背景技術】
【０００２】
従来の計測システムに関連する先行技術文献としては次のようなものがある。
【０００３】
【特許文献１】特開平０４−０６２４１０号公報
【特許文献２】特開平０７−２９６２９６号公報
【特許文献３】特開平１０−３２０１５９号公報
【特許文献４】特開２００１−２５７１４６号公報
【０００４】
図３は従来の計測システムの一例を示す構成ブロック図である。図３において、１はディジタルオシロスコープ、ロジックアナライザ、プロトコルアナライザ等の現場等で大量のデータを取得することが可能なデータ収集手段である計測器、２は計測データを保存管理するサーバ、１００はインターネット、ＷＡＮ（Wide Area Network）やＬＡＮ（Local Area Network）等の汎用のネットワークである。
【０００５】
計測器１はネットワーク１００に相互に接続され、サーバ２もまたネットワーク１００に相互に接続される。
【０００６】
ここで、図３に示す従来例の動作を説明する。計測器１は操作者の操作に基づき被計測対象（図示せず。）に対して計測を行い計測データを取得する。
【０００７】
例えば、計測器１がディジタルオシロスコープであれば、被計測対象から計測データとして各種波形データを取得する。また、例えば、計測器１がプロトコルアナライザであれば、被計測対象を伝播するパケットを取得してそのプロトコルやデータを解析する。
【０００８】
さらに、例えば、計測器１はデータ取得と同時に、取得した計測データに対して日付、計測条件等の計測器１内部の有する情報を付加することも可能である。
【０００９】
計測器１は、計測データを取得した後、当該計測データをその後の分析や再利用をする場合に、必要に応じてネットワーク１００を介して計測データをサーバ２に送信してアップロードする。そして、計測データを受信したサーバ２は自らのハードディスク等の記憶手段に受信した計測データを保存する。
【００１０】
例えば、サーバ２に保存管理されている計測データが各種波形データであれば、後日、当該波形データの解析を行ったり、サーバ２に保存管理されている計測データがパケットデータであれば、当該パケットデータを被計測対象に伝播させて再利用することが可能になる。
【００１１】
この結果、計測器１で計測された計測データをサーバ２にアップロードして保存管理することにより、後日、計測データの解析を行ったり、計測データの再利用を行うことが可能になる。
【発明の開示】
【発明が解決しようとする課題】
【００１２】
しかし、図３に示すような従来例では、計測器１が取得データに付加することができる情報は、計測器１内部に有する情報に限定されてしまうため、
（１）  計測対象が物理的に複数存在するとき、操作者が何を選択したか。
（２）  計測時の周辺環境。
（３）  計測目的、顧客情報、操作者情報等。
（４）  その他計測対象の詳細情報。
というような有効な情報を付加することができず、計測データの有効な再利用の妨げとなっていたと言った問題点があった。
従って本発明が解決しようとする課題は、取得した計測データに対して自動的に付加情報を付加して保存することが可能な計測システムを実現することにある。
【課題を解決するための手段】
【００１３】
このような課題を達成するために、本発明のうち請求項１記載の発明は、
データを取得することが可能なデータ収集手段を用いた計測システムにおいて、
計測データを保存管理するサーバと、付加情報データベースを一元管理するデータベースサーバと、このデータベースサーバから前記付加情報データベースをネットワークを介してダウンロードしておき、計測時に、前記付加情報データベースから計測された計測データに付加すべき付加情報を選択して付加し、必要に応じて付加情報が付加された前記計測データを前記サーバに前記ネットワークを介してアップロードするデータ収集手段とを備えたことにより、取得した計測データに対して自動的に付加情報を付加して保存することが可能になる。
【００１４】
請求項２記載の発明は、
データを取得することが可能なデータ収集手段を用いた計測システムにおいて、
計測データを保存管理すると共に付加情報データベースを一元管理するサーバと、このサーバから前記付加情報データベースをネットワークを介してダウンロードしておき、計測時に、前記付加情報データベースから計測された計測データに付加すべき付加情報を選択して付加し、必要に応じて付加情報が付加された前記計測データを前記サーバに前記ネットワークを介してアップロードするデータ収集手段とを備えたことにより、取得した計測データに対して自動的に付加情報を付加して保存することが可能になる。
【００１５】
請求項３記載の発明は、
請求項１若しくは請求項２記載の発明である計測システムであって、
前記付加情報を前記データ収集手段に直接入力するための入力手段を備えたことにより、付加情報データベースには存在しない付加情報であっても計測データに対して付加して保存することが可能になる。
【００１６】
請求項４記載の発明は、
請求項１乃至請求項３のいずれかに記載の発明である計測システムであって、
前記データ収集手段が、
計測器であることにより、取得した計測データに対して自動的に付加情報を付加して保存することが可能になる。また、付加情報データベースには存在しない付加情報であっても計測データに対して付加して保存することが可能になる。
【００１７】
請求項５記載の発明は、
請求項１乃至請求項３のいずれかに記載の発明である計測システムであって、
前記データ収集手段が、
センサであることにより、取得した計測データに対して自動的に付加情報を付加して保存することが可能になる。また、付加情報データベースには存在しない付加情報であっても計測データに対して付加して保存することが可能になる。
【発明の効果】
【００１８】
本発明によれば次のような効果がある。
請求項１，２，４及び請求項５の発明によれば、データ収集手段にデータベースサーバから付加情報データベースをダウンロードして、計測時に、付加情報データベースから計測された計測データに付加すべき付加情報を選択して付加（関連付ける）し、必要に応じてサーバにアップロードすることにより、取得した計測データに対して自動的に付加情報を付加して保存することが可能になる。
【００１９】
また、請求項３，４及び請求項５の発明によれば、付加情報をデータ収集手段に直接入力する入力手段を備えたことにより、付加情報データベースには存在しない付加情報であっても計測データに対して付加して保存することが可能になる。
【発明を実施するための最良の形態】
【００２０】
以下本発明を図面を用いて詳細に説明する。図１は本発明に係る計測システムの一実施例を示す構成ブロック図である。
【００２１】
図１において、３は自動付加できない付加情報を直接入力するための操作ボタンやキーボード等の入力手段、４はディジタルオシロスコープ、ロジックアナライザ、プロトコルアナライザ等の現場等で大量のデータを取得することが可能なデータ収集手段である計測器、５は付加情報データベース（図１中”ＤＢ０１”）を一元管理するデータベースサーバ、６は計測データを保存管理するサーバ、１０１はインターネット、ＷＡＮやＬＡＮ等の汎用のネットワークである。
【００２２】
入力手段３は計測器４に接続され、計測器４はネットワーク１０１に相互に接続される。また、データベースサーバ５及びサーバ６もまたネットワーク１０１に相互に接続される。
【００２３】
ここで、図１に示す実施例の動作を図２を用いて説明する。図２は計測システム（具体的には、計測器）の動作を説明するフロー図である。図２中”Ｓ００１”において計測器４は、ネットワーク１０１を介してデータベースサーバ５から付加情報データベースをダウンロードする。
【００２４】
例えば、計測器４はネットワーク１０１を介してデータベースサーバ５から図１中”ＤＢ０１”に示すような付加情報データベースをダウンロードする。
【００２５】
具体的に、付加情報データベースとは、計測器４内部には存在しない情報であって、
（１）  計測器に関する付加情報。
計測器の仕様、固有情報、内部状態、計測器の管理部署等
（２）  操作者に関する付加情報。
所属、ユーザ、計測器の仕様、交友情報、内部状態等
（３）  計測対象に関する付加情報。
（４）  計測目的に関する付加情報。
研究、開発、生産準備、診断、トラブルシュート等
（５）  計測解析に関する付加情報。
解析アルゴリズム等
等の付加情報に関するデータベースである。
【００２６】
図２中”Ｓ００２”において計測器４は、被計測対象（図示せず。）に対して計測を行い計測データを取得し、図２中”Ｓ００３”において計測器４は、ダウンロードしてきた付加情報データベースから当該計測データに付加すべき付加情報を選択して付加（関連付ける）する。
【００２７】
図２中”Ｓ００４”において計測器４は、入力手段３から付加情報の直接入力があったか否かを判断し、もし、付加情報の直接入力があったと判断した場合には、図２中”Ｓ００５”において入力手段３から直接入力された付加情報を取得して計測データに付加（関連付ける）する。
【００２８】
もし、図２中”Ｓ００４”において入力手段３から付加情報の直接入力がなかったと判断した場合には、図２中”Ｓ００６”に示すステップに進む。
【００２９】
最後に、図２中”Ｓ００６”において計測器４は、当該計測データをその後の分析や再利用をする場合に、必要に応じて付加情報が付加された計測データをネットワーク１０１を介してサーバ６にアップロードする。そして、付加情報が付加された計測データを受信したサーバ６は自らのハードディスク等の記憶手段に受信した計測データを保存する。
【００３０】
この結果、計測器４にデータベースサーバ５から付加情報データベースをダウンロードして、計測時に、付加情報データベースから計測された計測データに付加すべき付加情報を選択して付加（関連付ける）し、必要に応じてサーバ６にアップロードすることにより、取得した計測データに対して自動的に付加情報を付加して保存することが可能になる。
【００３１】
また、入力手段３から付加情報を計測器４に直接入力することにより、付加情報データベースには存在しない付加情報であっても計測データに対して付加して保存することが可能になる。
【００３２】
なお、図１に示す実施例においては、説明の簡単のためにデータベースサーバ５とサーバ６とを別個のサーバとして説明しているが、勿論、１つのサーバに付加情報データベースの一元管理機能と、計測データを保存管理機能とを持たせるものであっても構わない。
【００３３】
また、図１に示す実施例においては、付加情報を計測器４に直接入力するための入力手段３を例示しているが、入力手段３は必須の構成要素でない。
【００３４】
また、図１に示す実施例では、データ収集手段として計測器を例示しているが、データ収集手段としては制御システムにおけるセンサであっても構わない。
【図面の簡単な説明】
【００３５】
【図１】本発明に係る計測システムの一実施例を示す構成ブロック図である。
【図２】計測システム（具体的には、計測器）の動作を説明するフロー図である。
【図３】従来の計測システムの一例を示す構成ブロック図である。
【符号の説明】
【００３６】
１，４  計測器
２，６  サーバ
３  入力手段
５  データベースサーバ
１００，１０１  ネットワーク
【図１】
2007170844.tif 000003
【図２】
2007170844.tif 000004
【図３】
2007170844.tif 000005